(57)【要約】 【課題】紐部材に捻じれを与えることのない止め具、及び、この止め具を用いた紐止め装置、特に装身具を提供する。【解決手段】外殻体１０と、少なくとも１つの保持部材２０とを含む。外殻体１０は、孔１５，１６と、中空部１３とを有する。孔１５，１６は、外殻体１０の外部から中空部１３へと通じている。保持部材２０は、通孔部２２を有し、中空部１３に内蔵され、中空部１３の内壁面とは非接触状態で、動き得る外形を有する。【選択図】図１
2006314834.tif 000002
【特許請求の範囲】
【請求項１】
外殻体と、少なくとも１つの保持部材とを含む止め具であって、
前記外殻体は、孔と、中空部とを有し、
前記孔は、前記外殻体の外部から前記中空部へと通じており、
前記保持部材は、通孔部を有し、前記中空部に内蔵され、前記中空部の内壁面に対して非接触状態で、動き得る外形を有する
止め具。
【請求項２】
外殻体と、少なくとも１つの保持部材とを含む止め具であって、
前記外殻体は、孔と、中空部とを有し、
前記孔は、前記外殻体の外部から前記中空部へと通じており、
前記保持部材は、通孔部を有し、前記中空部に内蔵され、前記中空部の内壁面に対して非接触状態で回転し得る外形を有する
止め具。
【請求項３】
外殻体と、少なくとも１つの保持部材とを含む止め具であって、
前記外殻体は、孔と、中空部とを有し、
前記孔は、前記外殻体の外部から前記中空部へと通じており、
前記保持部材は、通孔部を有し、前記中空部に内蔵され、前記中空部の内壁面に対して非接触状態で、１軸の周りに回転し得る外形を有する
止め具。
【請求項４】
請求項１乃至３の何れかに記載された止め具であって、前記保持部材は、弾性体を含み、前記弾性体は、前記通孔部を有する止め具。
【請求項５】
請求項４に記載された止め具であって、前記弾性体は、体積弾性体である止め具。
【請求項６】
請求項１乃至５の何れかに記載された止め具であって、前記保持部材は、複数である止め具。
【請求項７】
請求項１乃至６の何れかに記載された止め具であって、前記保持部材は、少なくとも一部が磁性を有する止め具。
【請求項８】
請求項１乃至７の何れかに記載された止め具であって、前記保持部材は、マグネットを有する止め具。
【請求項９】
請求項１乃至６の何れかに記載された止め具であって、前記外殻体は、少なくとも一部が磁性を有する止め具。
【請求項１０】
請求項１乃至７の何れかに記載された止め具であって、前記外殻体は、マグネットを有する止め具。
【請求項１１】
止め具と、紐部材とを有する紐止め装置であって、
前記止め具は、請求項１乃至１０の何れかに記載されたものであり、
前記紐部材は、前記孔、及び、前記通孔部を貫通し、
前記保持部材は、前記紐部材との摩擦力により、前記紐部材上に保持されている
紐止め装置。
【請求項１２】
請求項１１に記載された紐止め装置であって、装身具である紐止め装置。
【発明の詳細な説明】
【技術分野】
【０００１】
本発明は、止め具及びこの止め具を用いた紐止め装置に関する。
【背景技術】
【０００２】
この種の止め具は、ネックレスや、眼鏡チェーン等の各種の装身具において、チェーン等の紐状部材を、任意の長さに調整するための手段として用いられるものである。従って、チェーンの繰り返し調節操作に耐え得る耐久性があること、捻じれにより美観が損なわれるチェーン等においては特に、調節操作によって、捻じれを生じさせないものであることが重要である
従来のこの種の止め具としては、例えば、特許文献１、特許文献２、特許文献３、特許文献４または特許文献５等に記載されたものがある。
【０００３】
しかし、上述した公知文献に記載された止め具は、弾性体が外殻体の内部に固定されているので、係留位置を変化させるための力が、弾性体と外殻体との接続部分に集中的に加わり、止め具が、局部的加圧接触により損傷するおそれがあり、この種の止め具に要求される耐久性を満たし得る構造を開示するものではなかった。また、紐部材の捻じれを解消するための構造については、開示していなかった。
【０００４】
別の従来技術をして、特許文献６は、外殻体の中空部の内壁面を球面状とし、中空部の内部に内蔵された弾性体の外周面を、中空部の球面状内壁面に圧接させた止め具を開示している。
【０００５】
特許文献７に開示された止め具は、上述したように、弾性体が外殻体に備えられた中空部の球面状内壁面に圧接した状態で備えられているので、係留位置を変化させるための力が加えられた場合、弾性体が、外殻体の球面状内壁面の広い範囲で面接触するような状態で移動、又は、変形し、局部的加圧接触による損傷を回避することができる。
【０００６】
しかし、特許文献８も、紐部材の捻じれを解消するための構造については、開示しておらず、捻じれを回避することができなかった。
【特許文献１】実公平４−３７４５７号公報
【特許文献２】実用新案登録第３０４２０７１号公報
【特許文献３】特開昭５７−５５１０２号公報
【特許文献４】実公昭６１−２４０８７号公報
【特許文献５】実公平４−２５８０１号公報
【特許文献６】特開２０００−８３７１３号公報
【特許文献７】特開２０００−８３７１３号公報
【特許文献８】特開２０００−８３７１３号公報
【発明の開示】
【発明が解決しようとする課題】
【０００７】
本発明の課題は、紐部材に捻じれを与えることのない止め具、及び、この止め具を用いた紐止め装置、特に装身具を提供することである。
【課題を解決するための手段】
【０００８】
上述した課題を解決するため、本発明は、止め具、及び、この止め具を用いた紐止め装置、特に、装身具を開示する。
【０００９】
１．  止め具
本発明に係る止め具は、外殻体と、少なくとも１つの保持部材とを含む。前記外殻体は、孔と、中空部とを有し、前記孔は、前記外殻体の外部から前記中空部へと通じている。
前記保持部材は、通孔部を有し、前記中空部に内蔵され、前記中空部の内壁面とは非接触状態で、動き得る外形を有する。
【００１０】
本発明に係る止め具において、外殻体は、孔と、中空部とを有し、孔は、外殻体の外部から中空部へと通じているから、チェーン等の紐状部材を、外殻体に設けられた孔を通して、中空部内に導入し得る。
【００１１】
本発明に係る止め具は、少なくとも１つの保持部材を含んでおり、保持部材は、通孔部を有し、中空部に内蔵されている。従って、外殻体の孔を通して中空部内に導入されたチェーン等の紐状部材を、保持部材の通孔部を通って貫通させ、保持部材とチェーンとの間に発生する摩擦力を利用して、保持部材をチェーンの任意の箇所に係留できる。このため、チェーン等の紐状部材に対する保持部材の係留位置を調整し、チェーン等の紐状部材の長さを任意に調整することができる。
【００１２】
しかも、保持部材は、中空部の内壁面とは非接触状態で、動き得る外形を有する。この構造によれば、保持部材、及び、保持部材に係留されたチェーン等の紐状部材を、外殻体の回転から分離し、外殻体の回転による保持部材の回転を阻止し、保持部材の回転に伴うチェーン等の紐状部材の捻じれを回避することができる。
【００１３】
別の態様として、保持部材は、中空部の内壁面と非接触状態で回転し得る外形を有していてもよい。この場合も、保持部材、及び、保持部材に係留されたチェーン等の紐状部材を、外殻体の回転から分離し、外殻体の回転による保持部材の回転を阻止し、保持部材の回転に伴うチェーン等の紐状部材の捻じれを回避することができる。
【００１４】
更に別の態様として、保持部材は、中空部の内壁面と非接触状態で、１軸の周りに回転し得る外形を有していてもよい。この場合も、保持部材、及び、保持部材に係留されたチェーン等の紐状部材を、外殻体の回転から分離し、外殻体の回転による保持部材の回転を阻止し、保持部材の回転に伴うチェーン等の紐状部材の捻じれを回避することができる。
【００１５】
外殻体の中空部の空間的形状は、保持部材との間で、上述した作用効果を奏する限り、任意でよい。中空部の内壁面が球面状になるような球形状空間の他、これに類似した曲面状空間、角形状空間等であってもよい。
【００１６】
保持部材の外形形状も、外殻体との間で、上述した作用効果を奏する限り、任意でよい。球形状、楕円形状、リング状、角形状またはこれらの組み合わせ等、任意の外形形状を採用できる。
【００１７】
好ましくは、保持部材は、弾性体を含む。この場合、通孔部は弾性体に設けられる。このような構造によれば、保持部材に含まれる弾性体の弾力性を利用して、保持部材をチェーン等の紐状部材に対して確実に係留できるとともに、チェーンの長さ調節を容易に実行することができるようになる。
【００１８】
保持部材は、弾性体のみからなっていてもよい。これとは異なって、保持部材が外装部を含む構造とし、弾性体を外装部によって支持する構造であってもよい。
【００１９】
弾性体は、体積弾性体であってもよいし、例えば、金属薄板のバネ変形を利用する弾性体であってもよい。体積弾性体は有機質材料によって構成することができる。具体的には、ゴム、シリコンゴム、またはプラスチック等である。これらの材料を用いた多孔質弾性体等も使用に適している。
【００２０】
更に、保持部材は、１つの外殻体につき、１個であってもよいし、複数個であってもよい。複数個の保持部材を用いた場合は、それに対応した複数本の紐状部材に対応できるので、装身具のデザインの多様性に応えることができる。
【００２１】
保持部材は、少なくとも一部が磁性を有していてもよい。このような構成であれば、外殻体の外部から、例えば、チェーンに取り付けたマグネット片を組み合わせ、チェーンの作るループを、使用者が好みに応じて調整し得るようになる。この場合は、外殻体は非磁性材料で構成することが好ましい。
【００２２】
保持部材は、磁性体の代わりに、マグネットを有していてもよい。このような構成によれば、磁性を有する第１の保持部材と、マグネットを有する第２の保持部材とを、１本のチェーンの両端側に取り付ける等して、両者を磁気的に吸着させ、任意のチェーンループを作ることができる。また、簡単な操作によって、チェーンループを作ることができるので、使用に便利である。
【００２３】
保持部材に磁性を持たせ、または、マグネットを取り付ける代わりに、外殻体の少なくとも一部に磁性を持たせ、または、マグネットを取り付けてもよい。
【００２４】
更に、外殻体は、装飾部を含むことができる。装飾部は、貴石、半貴石、真珠、ダイヤモンド等の各種宝石の少なくとも一種を含むことができる。
【００２５】
２．  紐止め装置
本発明に係る紐止め装置は、止め具と、紐部材とを含む。前記止め具は、上述した本発明に係る止め具である。前記紐部材は、外殻体の孔、及び、保持部材の通孔部を貫通する。前記保持部材は、前記紐部材との摩擦力により、前記紐部材上に保持されている。
【００２６】
本発明に係る紐止め装置は、例えば、ネックレスや、眼鏡チェーン等である。本発明の紐止め装置は、上述した本発明の止め具を用いているので、本発明の止め具の有する上記利点を全て享受し、紐止め装置全体として、優れた作用効果を奏することができる。
【００２７】
本発明の他の目的、構成及び利点については、実施例である添付図面を参照し、更に詳しく説明する。
【発明の効果】
【００２８】
以上述べたように、本発明によれば、紐部材に捻じれを与えることのない止め具、及び、この止め具を用いた紐止め装置、特に装身具を提供することができる。
【発明を実施するための最良の形態】
【００２９】
図１は本発明に係る止め具の正面断面図、図２は図１に示した止め具の平面断面図である。図示された止め具は、外殻体１０と、１つの保持部材２０とを含む。
【００３０】
外殻体１０は、孔１５、１６と、中空部１３とを有する。孔１５、１６は、外殻体１０の外部から中空部１３へと通じている。本実施例において、孔１５、１６は、Ｚ軸方向に対向して備えられている。
【００３１】
本実施例において、外殻体１０の中空部１３は、内壁面が球面状になるような球形状空間である。中空部１３は、球形状空間の他、これに類似した曲面状空間、角形状空間等であってもよい。また、外殻体１０の外壁面の形状は球状である。外殻体１０の外壁面の形状は任意であり、例えば、多面体状または円錐体状、角錐体もしくは截頭錐体状等とすることができる。
【００３２】
外殻体１０は金属、合金、プラスチック、セラミック等の各種の材料を用いて形成することができる。外殻体１０の外面は、メッキ等によって装飾することができる。または、彫金的装飾を施してもよい。
【００３３】
保持部材２０は、通孔部２２を有し、中空部１３に内蔵され、中空部１３の内壁面とは非接触状態で、動き得る外形を有する。具体的には、保持部材２０は、Ｘ、Ｙ、Ｚ軸の周りＭｘ、Ｍｙ、Ｍｚを自由に回転することができる。また、保持部材２０は、中空部１３内において、Ｘ、Ｙ、Ｚ軸に沿った方向Ｆｘ、Ｆｙ、Ｆｚに移動することもできる。
【００３４】
図示実施例において、保持部材２０は弾性体２１からなる。保持部材２０の外形形状は、球形状であるが、例えば、楕円形状、リング状、角形状またはこれらの組み合わせ等、任意の外形形状を採用できる。
【００３５】
弾性体２１は、体積弾性体であってもよいし、例えば、金属薄板のバネ変形を利用する弾性体であってもよい。体積弾性体は有機質材料によって構成することができる。具体的には、ゴム、シリコンゴム、またはプラスチック等である。これらの材料を用いた多孔質弾性体、例えばスポンジ等も使用に適している。
【００３６】
図３は本発明に係る紐止め装置の正面図、図４は図３に示した紐止め装置の拡大図、図５は図３及び図４に示した紐止め装置の部分拡大正面断面図、図６は図５に示した紐止め装置の部分平面断面図である。図示実施例に係る紐止め装置は、例えば、ネックレスや、眼鏡チェーン等の装身具である。
【００３７】
図３〜図６に図示された紐止め装置は、止め具１と、紐部材３１とを含む。止め具１は、図１、図２に示した本発明に係る止め具である。
【００３８】
紐部材３１は、孔１５、１６、及び、通孔部２２を貫通する。紐部材３１は、各種デザインのチェーン、各種デザインの紐またはそれらの組み合わせでなる。紐部材３１を構成する材料としては、金（ゴールド）、銀、プラチナ等の貴金属材料、もしくは、繊維、又はそれらの組み合わせ等によっても構成できる。紐部材３１は、表面又は裏面に、模様を付してあってもよい。
【００３９】
紐部材３１は、外殻体１０の外部から孔１５を通って、外殻体１０の中空部１３の内部に導かれ、中空部１３内に内蔵された弾性体２１の通孔部２２を貫通する。紐部材３１は、更に、外殻体１０の孔１６を通って外部に導かれる。止め具１の保持部材２０は、紐部材３１との摩擦力により、紐部材３１上に保持されている。
【００４０】
図示された紐止め装置は、更に、差込み片３４と、プレート３５と、結合部材３６と、紐止め１２を含む。紐止め１２は、紐部材３１を止めるための部材であり、外殻体１０の外壁面に備えられている。
【００４１】
本発明に係る止め具において、外殻体１０は、孔１５、１６と、中空部１３とを有し、孔１５、１６は、外殻体１０の外部から中空部１３へと通じているから、チェーン等の紐状部材３１を、外殻体１０に設けられた孔１５、１６を通して、中空部１３内に導入し得る。
【００４２】
紐部材３１は、一端側の先端に、尖端状の差込み片３４が備えられ、他端側に穴開きプレート３５が備えられている。プレート３５は、結合部材３６によって、紐止め１２に掛け止められている。
【００４３】
図３乃至図６に示した本実施例に係る紐止め装置において、止め具１は、保持部材２０を含んでおり、保持部材２０は、通孔部２２を有し、中空部１３に内蔵されている。従って、外殻体１０の孔１５、１６を通して中空部１３内に導入された紐状部材３１を、保持部材２０の通孔部２２を通って貫通させ、保持部材２０と紐状部材３１との間に発生する摩擦力を利用して、保持部材２０を紐状部材３１の任意の箇所に係留できる。このため、紐状部材３１に対する保持部材２０の係留位置を調整し、紐状部材３１の長さを任意に調整することができる。
【００４４】
すなわち、図３に示すように、本実施例に係る紐止め装置は、紐部材３１を止め具１に対してａ方向、又は、ｂ方向にずらすことによって、紐部材３１の長さ、即ち、紐部材３１によるリング径の調整を行うことができる。
【００４５】
しかも、保持部材２０は、上述したように、中空部１３の内壁面とは非接触状態で、動き得る外形を有する。この構造によれば、図５、図６に示すように、保持部材２０、及び、保持部材２０に係留された紐状部材３１を、外殻体１０のＺ軸周りＭｚの回転から分離することができる。このため、外殻体１０の回転による保持部材２０の回転を阻止し、保持部材２０の回転に伴う紐状部材３１の捻じれを回避することができる。
【００４６】
具体的には、保持部材２０は、弾性体２１を含み、通孔部２２は弾性体２１に設けられている。このため、紐部材３１の径と通孔部２２の径とを適当に選定することにより、弾性体２１の弾力性を利用して、通孔部２２と紐部材３１との間に所望の摩擦抵抗を生じさせることができる。
【００４７】
更に具体的には、紐部材３１の径Ｄ３は、外殻体１０の孔１５、１６の径Ｄ１よりも小さい。このため、紐部材３１が外殻体１０の孔１５、１６に拘束されることはない。
【００４８】
また、紐部材３１の径Ｄ３は、通孔部２２の径Ｄ２よりも大きい。このため、紐部材３１を通孔部２２に貫通させることにより、保持部材２０を紐状部材３１に対して確実に係留することができる。
【００４９】
図７は本発明に係る止め具の別の実施例を示す正面断面図、図８は図７に示した止め具の平面断面図である。図において、図１、図２に図示された構成部分と同一の構成部分には同一の参照符号を付してある。
【００５０】
図７、図８において、保持部材２０は、中空部１３の内壁面と非接触状態で、Ｘ、Ｙ、Ｚ軸の周りＭｘ、Ｍｙ、Ｍｚを回転し得る外形を有する。
【００５１】
具体的には、外殻体１０は、内壁面及び外壁面が球形状である。また、保持部材２０は、球形状である。保持部材２０の最大外径は、中空部１３の最小内径よりも僅かに小さい。したがって、保持部材２０は、中空部１３の内壁面と非接触状態で、Ｘ、Ｙ、Ｚ軸の周りＭｘ、Ｍｙ、Ｍｚを回転し得る。
【００５２】
保持部材２０の最大外径と、中空部１３の最小内径との差が僅かであるから、保持部材２０の動きは、中空部１３内において、Ｘ、Ｙ、Ｚ軸に沿った方向Ｆｘ、Ｆｙ、Ｆｚに移動するよりも、Ｘ、Ｙ、Ｚ軸の周りＭｘ、Ｍｙ、Ｍｚの回転が支配的になる。
【００５３】
図９は図７、図８に示した止め具を用いた紐止め装置の部分正面断面図である。図９に示した紐止め装置において、止め具１は、保持部材２０が中空部１３の内壁面と非接触状態で、Ｘ、Ｙ、Ｚ軸の周りＭｘ、Ｍｙ、Ｍｚを回転し得る外形を有するので、保持部材２０、及び、保持部材２０に係留された紐状部材３１を、外殻体１０のＺ軸周りＭｚの回転から分離することができる。このため、外殻体１０の回転による保持部材２０の回転を阻止し、保持部材２０の回転に伴う紐状部材３１の捻じれを回避することができる。
【００５４】
また、図９に示した紐止め装置は、保持部材２０の最大外径と、中空部１３の最小内径との差が僅かであるから、保持部材２０、及び、保持部材２０に係留された紐状部材３１が、方向Ｆｘ、Ｆｙ、Ｆｚに移動する量が少なくなる。このため、極めて正確な位置決めが可能となる。
【００５５】
図１０は本発明に係る止め具の更に別の実施例を示す正面断面図、図１１は図１０に示した止め具の平面断面図である。図において、図１、図２に図示された構成部分と同一の構成部分には同一の参照符号を付してある。
【００５６】
図１０、図１１において、保持部材２０は、中空部１３の内壁面と非接触状態で、１軸の周りにのみ回転し得る外形を有する。即ち、保持部材２０は、Ｚ軸の周りＭｚを自由に回転し得るが、Ｘ、Ｙ軸の周りＭｘ、Ｍｙに回転し得ない外形を有する。
【００５７】
具体的には、外殻体１０は、内壁面及び外壁面が円柱形状である。保持部材２０は、円柱形状である。ＸＹ平面において、保持部材２０の最大外径Ｄ５は、中空部１３の最小内径Ｄ４よりも小さい。また、ＸＺ平面における、保持部材２０の外径Ｄ６は、中空部１３の最小内径Ｄ４よりも大きい。
【００５８】
図１２は図１０、図１１に示した止め具を用いた紐止め装置の部分正面断面図である。図において、図３〜図６に図示された構成部分と同一の構成部分には同一の参照符号を付してある。
【００５９】
図１２に示した紐止め装置において、止め具１は、保持部材２０が中空部１３の内壁面と非接触状態で、Ｚ軸周りＭｚを自由に回転し得る外形を有するので、保持部材２０、及び、保持部材２０に係留された紐状部材３１を、外殻体１０のＺ軸周りＭｚの回転から分離することができる。このため、外殻体１０の回転による保持部材２０の回転を阻止し、保持部材２０の回転に伴う紐状部材３１の捻じれを回避することができる。
【００６０】
図１３は本発明に係る紐止め装置の別の実施例を示す正面断面図、図１４は図１３に示した紐止め装置の平面断面図である。図において、図１乃至図１２に図示された構成部分と同一の構成部分には同一の参照符号を付してある。
【００６１】
図１３、図１４において、保持部材２０は、直方体形状であり、Ｘ、Ｙ、Ｚ軸の周りＭｘ、Ｍｙ、Ｍｚを自由に回転することができる。また、保持部材２０は、中空部１３内において、Ｘ、Ｙ、Ｚ軸に沿った方向Ｆｘ、Ｆｙ、Ｆｚに移動することもできる。この保持部材２０は、ＸＹ平面において、保持部材２０の最大外径Ｄ５が、中空部１３の最小内径Ｄ４よりも小さい。
【００６２】
図１５は本発明に係る紐止め装置の更に別の実施例を示す正面断面図、図１６は図１５に示した紐止め装置の平面断面図である。図において、図１乃至図１４に図示された構成部分と同一の構成部分には同一の参照符号を付してある。
【００６３】
図１５、図１６において、中空部１３の空間的形状は、内壁面が球面状である。外殻体１０の外壁面の形状は直方体状である。
【００６４】
図１７は本発明に係る紐止め装置の更に別の実施例を示す正面断面図、図１８は図１７に示した紐止め装置の平面断面図である。図において、図１乃至図１６に図示された構成部分と同一の構成部分には同一の参照符号を付してある。
【００６５】
図１７、図１８において、外殻体１０は、内壁面及び外壁面が直方体形状である。保持部材２０は、直方体形状である。保持部材２０は、中空部１３の内壁面と非接触状態で、１軸の周りにのみ回転し得る外形を有する。即ち、保持部材２０は、Ｚ軸の周りＭｚを自由に回転し得るが、Ｘ、Ｙ軸の周りＭｘ、Ｍｙを自由に回転し得ない外形を有する。
【００６６】
図１９は本発明に係る紐止め装置の更に別の実施例を示す平面断面図である。図において、図１乃至図１８に図示された構成部分と同一の構成部分には同一の参照符号を付してある。図１９において、外殻体１０は、内壁面及び外壁面が三角柱形状である。保持部材２０は球形状である。
【００６７】
図２０は本発明に係る止め具の更に別の実施例を示す正面断面図、図２１は図２０に示した止め具の平面断面図である。図において、図１乃至図１９に図示された構成部分と同一の構成部分には同一の参照符号を付してある。
【００６８】
図２０、図２１において、外殻体１０は、内壁面及び外壁面が球形状である。保持部材２０は、円柱形状である。この保持部材２０は、弾性体２１と、外装部２５とを含む。弾性体２１は、通孔部２２が備えられ、外装部２５によって支持されている。外装部２５は、例えば、金属、マグネット等で構成することができる。
【００６９】
図２２は本発明に係る止め具の更に別の実施例を示す正面断面図、図２３は図２２に示した止め具の平面断面図である。図において、図１乃至図２１に図示された構成部分と同一の構成部分には同一の参照符号を付してある。
【００７０】
図２２、図２３において、外殻体１０は、内壁面及び外壁面が球形状である。保持部材２０は、円柱形状であり、２つの通孔部２２を有する。通孔部２２は、２つに限らず、それ以上の個数であってもよい。
【００７１】
図２４は図２２、図２３に示した止め具を用いた紐止め装置の正面断面図である。紐状部材３１は、止め具１の保持部材２０に設けられた２つの通孔部２２を貫通する。この構造によれば、外殻体１０の外壁面に紐止め１２等を設ける必要がない。
【００７２】
また、本実施例の止め具は、複数個の通孔部２２を用いているので、複数個の通孔部２２に対応した複数本の紐状部材に対応できる。このため、装身具のデザインの多様性に応えることができる。
【００７３】
図２５は本発明に係る止め具の更に別の実施例を示す正面断面図である。図において、図２２乃至図２４に図示された構成部分と同一の構成部分には同一の参照符号を付してある。
【００７４】
図２５において、外殻体１０は、内壁面及び外壁面が球形状である。保持部材２０は、２つであり、球形状である。保持部材２０のそれぞれは、通孔部２２を有し、通孔部２２には、紐状部材が貫通する。
【００７５】
本実施例の止め具は、複数個の保持部材２０を用いているので、複数個の保持部材２０に対応した複数本の紐状部材に対応できる。このため、装身具のデザインの多様性に応えることができる。
【００７６】
本実施例の止め具は、図２２乃至図２４に図示された本発明の止め具と同様の構成を有するので、図２２乃至図２４に図示された本発明の止め具と同様の優れた作用効果を奏することができる。
【００７７】
図２６は本発明に係る止め具の更に別の実施例を示す正面断面図である。図において、図２２乃至図２５に図示された構成部分と同一の構成部分には同一の参照符号を付してある。
【００７８】
図２６において、外殻体１０は、内壁面及び外壁面が直方体形状である。外殻体１０の中空部１３は、２つに仕切られている。
【００７９】
保持部材２０は、２つであり、球形状である。保持部材２０のそれぞれは、２つに仕切られた中空部１３のそれぞれに備えられ、通孔部２２には、紐状部材が貫通する。
【００８０】
本実施例の止め具は、図２２乃至図２５に図示された本発明の止め具と同様の構成を有するので、図２２乃至図２５に図示された本発明の止め具と同様の優れた作用効果を奏することができる。
【００８１】
図２７は本発明に係る止め具の更に別の実施例を示す正面断面図、図２８は図２７に示した止め具の平面断面図である。図において、図１乃至図２６に図示された構成部分と同一の構成部分には同一の参照符号を付してある。
【００８２】
図２７、図２８において、外殻体１０は、非磁性材料で構成され、内壁面及び外壁面が球形状である。保持部材２０は、直方体形状であり、弾性体２１と、外装部２５１、２５２とを含む。外装部２５１、２５２は、マグネットであり、互いに対向して備えられ、対向する面が異なる磁極を有する。通孔部２２には、紐状部材３１（図２９参照）が貫通する。また、保持部材２０は、マグネットの代わりに、磁性体を有していてもよい。
【００８３】
本実施例の止め具は、通孔部２２の断面形状を非円形、例えば、楕円形とすることにより、保持部材２０と紐状部材３１との間の回転方向のすべりを確実に防止できる。
【００８４】
図２９は図２７、図２８に示した止め具を用いた紐止め装置の正面断面図である。図２９において、紐止め装置は、紐状部材３１と、２つの止め具１とを含む。止め具１のそれぞれには、紐状部材３１の端が貫通している。２つの止め具１は、外装部２５１、２５２により、磁気的に吸着している。
【００８５】
このような構成であれば、紐状部材３１上の任意の場所に係留された止め具１同士を組み合わせ、紐状部材３１の作るループを自由に調整し得る。また、このような構成によれば、簡単な操作によって、チェーンループを作ることができるので、使用に便利である。また、本実施例の止め具は、例えば、紐状部材３１に取り付けたマグネット片と組み合わせて、チェーンループを作ることもできる。
【００８６】
更に、このような構成によれば、磁気的に紐状部材３１の両端を固定しているので、外殻体１０の外壁面に紐止め１２等を設ける必要がない。
【００８７】
図３０は本発明に係る止め具の更に別の実施例を示す正面断面図である。図において、図１乃至図２９に図示された構成部分と同一の構成部分には同一の参照符号を付してある。
【００８８】
図３０において、外殻体１０は、内壁面及び外壁面が直方体形状である。外殻体１０の内壁面には、マグネット４１、４２が備えられている。また、保持部材２０は、マグネットの代わりに、磁性体を有していてもよい。マグネット４１、４２は、対向して備えられ、対向する面が異なる磁極を有する。保持部材２０は、球形状である。
【００８９】
図３１は図３０に示した止め具を用いた紐止め装置の正面断面図である。紐止め装置は、紐状部材３１と、２つの止め具１とを含む。２つの止め具１は、紐状部材３１の両端に備えられ、紐部材３１の両端が止め具１、１を貫通して外部に導出されている。２つの止め具１、１は、磁気的に互いに吸着している。
【００９０】
このような構成であれば、紐状部材３１上の任意の場所に係留された止め具１同士を組み合わせ、紐状部材３１の作るループを自由に調整し得る。また、このような構成によれば、簡単な操作によって、チェーンループを作ることができるので、使用に便利である。また、本実施例の止め具は、例えば、紐状部材３１に取り付けたマグネット片と組み合わせて、チェーンループを作ることもできる。
【００９１】
更に、このような構成によれば、磁気的に紐状部材３１の両端を固定しているので、外殻体１０の外壁面に紐止め１２等を設ける必要がない。このため、本実施例の紐止め装置は、より美しい外観を有することとなる。
【００９２】
図３２は本発明に係る紐止め装置の更に別の実施例を示す正面図である。図において、図１乃至図３１に図示された構成部分と同一の構成部分には同一の参照符号を付してある。
【００９３】
図３２において、止め具１は、外壁面に装飾部１２１を有する。装飾部１２１は、貴石、半貴石、真珠、ダイヤモンド等の各種宝石の少なくとも一種を含むことができる。本実施例の紐止め装置は、装飾部１２１を有するので、より美しい外観を有することとなる。また、本発明の紐止め装置は、止め具１を複数個有するものであってもよい。
【００９４】
本実施例の紐止め装置は、孔１５、１６を通る直線が、外殻体１０の重心を通らないように設定されている。このため、外殻体１０は、常に、孔１５、１６を通る直線の鉛直方向に、重心が存在することとなる。したがって、紐状部材３１の状態には全く依存せずに、外殻体１０が、常に一定の姿勢を保つことになる。
【００９５】
図３３は本発明に係る紐止め装置の更に別の実施例を示す正面断面図である。図において、図１乃至図３２に図示された構成部分と同一の構成部分には同一の参照符号を付してある。
【００９６】
図３３において、紐止め装置は、３つの止め具１を有する。３つの止め具１のそれぞれは、孔１５、１６を通る直線が、外殻体１０の重心を通らないように設定されている。このため、外殻体１０のそれぞれは、孔１５、１６を通る直線の鉛直方向に、重心が存在することとなり、常に、一定の姿勢を保つ。
【００９７】
したがって、本実施例に係る紐止め装置は、３つの外殻体１０のそれぞれの相対的な姿勢が、常に一定に保たれ、３つの外殻体１０が一体となって、ハート型を形成する。
【００９８】
本実施例の紐止め装置は、複数の止め具１が一体となって、特定の形状を構成するので、任意のデザインを実現することができる。
【００９９】
図１３〜図３３に図示した止め具及び紐止め装置は、基本的には、図１、図２に示した止め具、及び、図３〜図６に図示した紐止め装置と同様の構成を有するので、同様の優れた作用効果を奏することができる。
【図面の簡単な説明】
【０１００】
【図１】本発明に係る止め具の正面断面図である。
【図２】図１に示した止め具の平面図断面図である。
【図３】本発明に係る紐止め装置の正面図である。
【図４】図３に示した紐止め装置の拡大図である。
【図５】図３に示した紐止め装置の部分正面断面図である。
【図６】図３に示した紐止め装置の部分平面断面図である。
【図７】本発明に係る止め具の別の実施例を示す正面断面図である。
【図８】図７に示した止め具の平面断面図である。
【図９】図７、図８に示した止め具を用いた紐止め装置の部分正面断面図である。
【図１０】本発明に係る止め具の更に別の実施例を示す正面断面図である。
【図１１】図１０に示した止め具の平面断面図である。
【図１２】図１０、図１１に示した止め具を用いた紐止め装置の部分正面断面図である。
【図１３】本発明に係る紐止め装置の別の実施例を示す正面断面図である。
【図１４】図１３に示した紐止め装置の平面断面図である。
【図１５】本発明に係る紐止め装置の更に別の実施例を示す正面断面図である。
【図１６】図１５に示した紐止め装置の平面断面図である。
【図１７】本発明に係る紐止め装置の更に別の実施例を示す正面断面図である。
【図１８】図１７に示した紐止め装置の平面断面図である。
【図１９】本発明に係る紐止め装置の更に別の実施例を示す平面断面図である。
【図２０】本発明に係る止め具の更に別の実施例を示す正面断面図である。
【図２１】図２０に示した止め具の平面断面図である。
【図２２】本発明に係る止め具の更に別の実施例を示す正面断面図である。
【図２３】図２２に示した止め具の平面断面図である。
【図２４】図２２、図２３に示した止め具を用いた紐止め装置の正面断面図である。
【図２５】本発明に係る止め具の更に別の実施例を示す正面断面図である。
【図２６】本発明に係る止め具の更に別の実施例を示す正面断面図である。
【図２７】本発明に係る止め具の更に別の実施例を示す正面断面図である。
【図２８】図２７に示した止め具の平面断面図である。
【図２９】図２７、図２８に示した止め具を用いた紐止め装置の正面断面図である。
【図３０】本発明に係る止め具の更に別の実施例を示す正面断面図である。
【図３１】図３０に示した止め具を用いた紐止め装置の正面断面図である。
【図３２】本発明に係る紐止め装置の更に別の実施例を示す正面図である。
【図３３】本発明に係る紐止め装置の更に別の実施例を示す正面断面図である。
【符号の説明】
【０１０１】
１０          外殻体
１５、１６    孔
１３          中空部
２０          保持部材
２１          弾性体
２２          通孔部
【図１】
2006314834.tif 000003
【図２】
2006314834.tif 000004
【図３】
2006314834.tif 000005
【図４】
2006314834.tif 000006
【図５】
2006314834.tif 000007
【図６】
2006314834.tif 000008
【図７】
2006314834.tif 000009
【図８】
2006314834.tif 000010
【図９】
2006314834.tif 000011
【図１０】
2006314834.tif 000012
【図１１】
2006314834.tif 000013
【図１２】
2006314834.tif 000014
【図１３】
2006314834.tif 000015
【図１４】
2006314834.tif 000016
【図１５】
2006314834.tif 000017
【図１６】
2006314834.tif 000018
【図１７】
2006314834.tif 000019
【図１８】
2006314834.tif 000020
【図１９】
2006314834.tif 000021
【図２０】
2006314834.tif 000022
【図２１】
2006314834.tif 000023
【図２２】
2006314834.tif 000024
【図２３】
2006314834.tif 000025
【図２４】
2006314834.tif 000026
【図２５】
2006314834.tif 000027
【図２６】
2006314834.tif 000028
【図２７】
2006314834.tif 000029
【図２８】
2006314834.tif 000030
【図２９】
2006314834.tif 000031
【図３０】
2006314834.tif 000032
【図３１】
2006314834.tif 000033
【図３２】
2006314834.tif 000034
【図３３】
2006314834.tif 000035
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
止め具と、紐部材とを有する紐止め装置であって、
前記止め具は、外殻体と、少なくとも１つの保持部材とを含んでおり、
前記外殻体は、孔と、中空部とを有し、
前記孔は、２つであり、それぞれは前記外殻体の外部から前記中空部へと通じ、前記２つの孔を通る直線が、前記外殻体の重心を通らない位置に設けられており、
前記保持部材は、弾性体からなり、前記弾性体は、有機質材料によって構成されているとともに、通孔部を有し、前記通孔部は、前記弾性体を貫通し、相対向する両端でのみ開孔しており、
前記保持部材は、前記中空部に内蔵され、前記中空部の内壁面に対して非接触状態で回転し得る外形を有し、前記紐部材との摩擦力により、前記紐部材上に保持され、前記中空部の内壁面に対して非接触状態で、動くことが可能であり、
前記紐部材は、前記孔、及び、前記通孔部を貫通し、その両端が、前記外殻体の外部に導かれ、
前記外殻体の重心は、前記孔を通る直線の鉛直方向に存在する、
紐止め装置。
【請求項２】
請求項１に記載された紐止め装置であって、装身具である紐止め装置。